(57)【要約】本発明は、サーバーフレーム２を含むサーバーシステム１に関し、サーバーフレーム２の第１側３は、埋設され少なくとも１つのサーバー５を有すると共に、第１側とは逆のサーバーフレーム２の第２側４から少なくとも１つのサーバー５に接続する接続モジュール６を有し、少なくとも１つの接続モジュールは、少なくとも１つのサーバーに対して交差する方向に配置される。サーバー５は、少なくとも１つのプラグコネクタ９を有し、接続モジュール６は、少なくとも１つの更なるプラグコネクタ７を有し、これらは、それぞれ、サーバー５のプラグコネクタ９と接続モジュール６のプラグコネクタ７がサーバー５と接続モジュール６の間の直接接続を設定する態様である。本発明は、また、本発明によるサーバーシステム１用のサーバー５と接続モジュール６に関する。
2011522335.tif 000002
【特許請求の範囲】
【請求項１】
サーバーシステムであって、
第１側と第２側とを備え、サーバーフレームの第１側から少なくとも１つのサーバーを挿入するためのサーバーフレームを含み、
前記第１側の反対の前記サーバーフレームの第２側から前記サーバーフレーム内に挿入される前記少なくとも１つのサーバーの接続のための少なくとも１つの接続モジュールを更に含み、前記少なくとも１つの接続モジュールは、前記少なくとも１つのサーバーに対して交差する方向に配置され、
前記接続モジュールと前記サーバーの間の直接的な接続が前記サーバーのプラグコネクタ及び前記接続モジュールのプラグコネクタにより生成できる態様で、少なくとも１つのプラグコネクタが、前記サーバーに対して設けられ、少なくとも１つの追加のプラグコネクタが、接続モジュールに対して設けられる、サーバーシステム。
【請求項２】
少なくとも１つのそれぞれのガイド要素は、前記サーバーのプラグコネクタ及び前記接続モジュールの追加のプラグコネクタをガイドするためにそれぞれの接続モジュールに設けられる、請求項１に記載のサーバーシステム。
【請求項３】
前記ガイド要素と連携する少なくとも１つのそれぞれの追加のガイド要素は、前記サーバーに設けられる、請求項１又は２に記載のサーバーシステム。
【請求項４】
前記少なくとも１つのガイド要素は、前記接続モジュールのプラグコネクタに設けられ、それと連携する前記少なくとも１つの追加のガイド要素は、前記サーバーのプラグコネクタに設けられる、請求項２及び３に記載のサーバーシステム。
【請求項５】
少なくとも１つの接続モジュールは、前記少なくとも１つのサーバーへの電力供給用の電源ユニット及び／又はＩ／Ｏモジュールである、請求項１〜４のうちのいずれか１項に記載のサーバーシステム。
【請求項６】
前記少なくとも１つのサーバーは、ブレードサーバーである、請求項１〜５のうちのいずれか１項に記載のサーバーシステム。
【請求項７】
請求項１〜６のうちのいずれか１項に記載のサーバーシステム用のサーバーであって、前記サーバーは、前記サーバーシステム内に挿入される接続モジュールへの前記サーバーの直接的な接続のための少なくとも１つのプラグコネクタを含む、サーバー。
【請求項８】
前記プラグコネクタは、前記サーバーにマルチインスタンス設計で設けられ、多数のプラグコネクタは、前記サーバーと、前記サーバーシステムに挿入された幾つかの接続モジュールとの間のそれぞれの直接的な接続を生成するために、設けられる、請求項７に記載のサーバー。
【請求項９】
少なくとも１つのガイド要素は、前記接続モジュールの追加のプラグコネクタへの前記サーバーの前記少なくとも１つのプラグコネクタの案内用に前記サーバーに設けられる、請求項７又は８に記載のサーバー。
【請求項１０】
前記プラグコネクタは、ネットワークプラグコネクタ及び／又は追加のＩ／Ｏプラグ及び／又は電源端子を含む、請求項７〜９のうちのいずれか１項に記載のサーバー。
【請求項１１】
前記サーバーは、ブレードサーバーである、請求項７〜１０のうちのいずれか１項に記載のサーバー。
【請求項１２】
請求項１〜６のうちのいずれか１項に記載のサーバーシステム用の接続モジュールであって、
前記接続モジュールは、前記サーバーシステム内に挿入されるサーバーへの前記接続モジュールの直接的な接続用の少なくとも１つのプラグコネクタを含む、接続モジュール。
【請求項１３】
少なくとも１つのガイド要素は、前記サーバーの追加のプラグコネクタに前記接続モジュールの前記少なくとも１つのプラグコネクタをガイドするために前記接続モジュールに設けられる、請求項１２に記載の接続モジュール。
【請求項１４】
前記接続モジュールの少なくとも１つのプラグコネクタは、前記サーバーシステムの各サーバーに対して設けられる、請求項１２又は１３に記載の接続モジュール。
【請求項１５】
前記接続モジュールは、Ｉ／Ｏモジュール若しくは電源ユニットである、請求項１２〜１４のうちのいずれか１項に記載の接続モジュール。
【発明の詳細な説明】
【技術分野】
【０００１】
本発明は、第１側と第２側とを備え、サーバーフレームの第１側から少なくとも１つのサーバーを挿入するためのサーバーフレームを備えたサーバーシステムに関する。サーバーシステムは、更に、第１側の反対の前記サーバーフレームの第２側から前記サーバーフレーム内に挿入される前記少なくとも１つのサーバーの接続のための少なくとも１つの接続モジュールを含み、少なくとも１つの接続モジュールは、前記少なくとも１つのサーバーに対して交差する方向に配置される。本発明は、また、本発明のサーバーシステム用のサーバー及び接続モジュールに関する。
【背景技術】
【０００２】
サーバーシステムは、一般的に、共有のサーバーフレーム又は幾つかのサーバーフレーム（ラック）内に、一般的にインサートの形態で、配置され、共通のネットワークに接続される複数のサーバーを含む。サーバーシステムは、また、高出力の複数のＣＰＵ（複数の中央処理ユニット）、及び大型のＲＡＭメモリと共に、大型のハードディスク容量を有し、速度と計算能力に対する近代の要求を満たす。スペースと効率の理由により、サーバー自身は、一般的に、追加のインフラを有さない（このような態様で設計されたサーバーは、一般的に、ブレードサーバーと称される）。とりわけ、１つ以上の電源（パワーアダプタ）、光ディスク、ファン若しくはネットワークスイッチを含むことができ、サーバーシステムのサーバーにより必要とされ共同で使用されるこのインフラは、一般的に、１つ若しくは２つのいわゆるミッドプレーン（中央面）を介して接続モジュールの形態でサーバーに接続される。
【発明の概要】
【発明が解決しようとする課題】
【０００３】
ミッドプレーンは、一般的に、サーバーシステムの中心に位置する。それは、２つの側面を有し、それぞれが複数のコネクタを備える。サーバーは、ミッドプレーンの一方の側からプラグインされ、他方の側から種々の接続モジュールが、それ故に、ミッドプレーンに電気的に接続される。サーバーと接続モジュールとの間の電気的に接続は、ミッドプレーンにより生成され、サーバーから及びサーバーへのデータの転送の双方及びサーバーへの電源供給が確保される。
【０００４】
しかしながら、ミッドプレーンは、非常に複雑であり、サーバーシステムの非常に高価な部品である。更に、信号の保全は、２つの別々に要求される接続（接続モジュールとミッドプレーンの間、及び、サーバーとミッドプレーンの間）により悪影響を受ける。更に、接続モジュールは、ミッドプレーンに届き修理を実行するために、整備の目的のためにミッドプレーンからプラグ外しされ、取り外されなければならない。トラブルシューティングは、また、ミッドプレーンへのサーバーの接続及びモジュールの接続の場合に困難であることが証明されている。これは、頻繁に生じるエラーの直接的な場所の突き止めは、非常に複雑であり、若しくは、ミッドプレーンを介した追加の接続に起因して完全に不可能である。ミッドプレーンは、また、一般的に前から後にサーバーシステムを介してガイドされる冷却エアストリームに実質的な障害を表す。
【０００５】
本発明の問題は、それ故に、簡易な構造を有し、サーバーと接続モジュールの間の接続が生成され、それにより、信号の保全性が損なわれることがなく、冷却エアストリームに最小の可能な流れ抵抗を表し、整備及び任意の必要なトラブルシューティングが顕著に容易になるサーバーシステムを開示することである。
【課題を解決するための手段】
【０００６】
上記問題は、上述のタイプのサーバーシステムによって本発明により解決され、該サーバーシステムは、第１側と第２側とを備え、サーバーフレームの第１側から少なくとも１つのサーバーを挿入するためのサーバーフレームを有する共に、第１側の反対のサーバーフレームの第２側からサーバーフレーム内に挿入される少なくとも１つのサーバーの接続のための少なくとも１つの接続モジュールを有し、少なくとも１つの接続モジュールは、少なくとも１つのサーバーに対して交差する方向に配置される。サーバーシステムは、接続モジュールとサーバーの間の直接的な接続がサーバーのプラグコネクタ及び接続モジュールのプラグコネクタにより生成できる態様で、少なくとも１つのプラグコネクタが、サーバーに対して設けられ、少なくとも１つの追加のプラグコネクタが、接続モジュールに対して設けられることを特徴とする。
【０００７】
サーバーと接続モジュールの間の直接の接続は、サーバーの適切なプラグコネクタ及び接続モジュールのプラグコネクタにより可能とされる。電気的な接続を生成するための高価で複雑なミッドプレーンを介した迂回、及び、それに伴い、電気信号のためのプラグ接続の２倍の回数（即ち、一方では、サーバーからミッドプレーンへのプラグ接続、他方では、ミッドプレーンから接続モジュールへの直列接続されたプラグ接続）は、それ故に、不必要となり、サーバーと接続モジュールが接続されたときに信号の保全性が確保される。
【０００８】
サーバーシステムの好ましい実施例では、ガイド要素は、サーバーのプラグコネクタ及び接続モジュールの追加のプラグコネクタをガイドするためにそれぞれの接続モジュールに設けられる。サーバーのプラグコネクタと接続モジュールのプラグコネクタの間の間接的な電気的な接続は、案内により回避することができる。
【０００９】
同様に好ましい構成では、接続モジュールのガイド要素と協動するそれぞれの追加のガイド要素は、サーバーに設けられる。
【００１０】
その他の好ましい実施例では、少なくとも１つのガイド要素は、接続モジュールのプラグコネクタに設けられ、それと連携する少なくとも１つの追加のガイド要素は、サーバーのプラグコネクタに設けられる。
【００１１】
好ましい実施例では、少なくとも１つの接続モジュールは、少なくとも１つのサーバーへの電力供給用の電源ユニットである。
【００１２】
同様に好ましい実施例では、少なくとも１つの接続モジュールは、Ｉ／Ｏモジュールである。
【００１３】
上記問題は、同様に、本発明によるサーバーシステム用のサーバーであって、サーバーは、サーバーシステム内に挿入される接続モジュールへの直接的な接続のための少なくとも１つのプラグコネクタを有する、サーバーにより解決される。
【００１４】
サーバーの少なくとも１つのプラグコネクタの適切な構成によって、サーバーと接続モジュール、例えば電源ユニット、Ｉ／Ｏモジュール又はファンとの間の簡易で直接的な接続が可能とされる。インフラへのサーバーの接続用の高価で複雑なミッドプレーンは従って省略することができる。サーバーシステムの構造は、それ故に、実質的により明確になり、欠陥の場合のトラブルシューティングが顕著に容易になる。
【００１５】
サーバーの好ましい実施例では、プラグコネクタは、サーバーにマルチインスタンス設計で設けられ、多数のプラグコネクタは、サーバーと、サーバーシステムに挿入された幾つかの接続モジュールとの間のそれぞれの直接的な接続を生成するために、設けられる。
【００１６】
サーバーのその他の好ましい実施例では、少なくとも１つのガイド要素は、接続モジュールの追加のプラグコネクタへのサーバーの少なくとも１つのプラグコネクタの案内用にサーバーに設けられる。
【００１７】
その他の好ましい構成では、プラグコネクタは、ネットワークプラグコネクタ及び／又は追加のＩ／Ｏプラグを含む。
【００１８】
同様に好ましい構成では、プラグコネクタは、電源端子を含む。
【００１９】
上記の問題は、更に、本発明のサーバーシステム用の接続モジュールであって、
接続モジュールは、サーバーシステム内に挿入されるサーバーへの接続モジュールの直接的な接続用の少なくとも１つのプラグコネクタを有する、接続モジュールにより解決される。
【００２０】
本発明によるサーバーのプラグコネクタへの接続モジュールのプラグコネクタの正確な嵌合取り付け、及び、それに伴い、サーバーと接続モジュールの間の直接の電気接続の生成は、接続モジュールの少なくとも１つのプラグコネクタと共に少なくとも１つのガイド要素及びそれらの連携の適切な設計により、追加の接続若しくはミッドプレーンを介した多数のプラグ接続を要せずに、達成される。これにより、サーバーへの接続モジュールの接続に対する信号の保全性は確保される。接続における若しくは接続モジュール自身における考えられる欠陥は、速やかに特定され、直されることができる。
【００２１】
接続モジュールの好ましい構成では、少なくとも１つのガイド要素は、サーバーの追加のプラグコネクタに接続モジュールの少なくとも１つのプラグコネクタをガイドするために設けられる。これにより、サーバーのプラグコネクタと接続モジュールのプラグコネクタが所定の公差内で互いに適合することが保証され、これにより、最適な伝送が保証される。
【００２２】
本発明の追加の詳細及び実現は、従属クレームに特定される。
【図面の簡単な説明】
【００２３】
【図１】本願によるサーバーシステムの概略図。
【図２】図１に示すサーバーシステムの側面の概略図。
【図３】追加の実施例における図２からのサーバーシステムの概略図。
【発明を実施するための形態】
【００２４】
図１は、本願によるサーバーシステム１の概略図を示す。サーバーシステム１は、幾つかのサーバー５と共に、第１側３と第２側４を備えるサーバーフレーム２を含む。サーバーシステム１は、更に、２つの接続モジュール６を含み、それぞれの接続モジュール６は、ガイド要素８と共に幾つかのプラグコネクタ７を備える。
【００２５】
図示されたサーバーシステム１は、例えば、サーバーフレーム２内にブレードサーバーを収容するためのブレードサーバーシステムであることができる。ブレードサーバーシステムの効果は、そのコンパクトな構成であり、結果として、サーバーシステム１の高出力密度である。サーバーフレーム２は、当然ながら、異なるサーバー５を収容するために設けられることができる。
【００２６】
サーバー５は、本実施例では、以下でサーバーフレーム２の前側３と称される、サーバーフレーム２の第１側３から、サーバーシステム１内へのインサートの形態で挿入される。明確性の理由のため、図１は、一方が他方の上になる２列で８つのサーバー８を示しているが、サーバーシステム１は、より多数のサーバー５も有しうる。前側３とは逆のサーバーフレーム２の第２側４は、サーバーフレーム２の後側４と以下で称される。
【００２７】
後側では、サーバー５は、ここでは示されないプラグコネクタ（サーバー５及び接続モジュール６の接続と共にプラグコネクタの概略表現のために図２参照）を有し、接続モジュール６の形態のインフラは、これらのプラグコネクタによりサーバーフレーム２の後側４からサーバー５に接続される。サーバー５のプラグコネクタは、ソケット及び／又はプラグとして構成されうる。
【００２８】
接続モジュール６は、それぞれ、サーバーフレーム２内にサーバー５に対して横向き（交差する方向）に挿入されるが、追加のプラグコネクタ７を有し、追加のプラグコネクタ７のそれぞれは、サーバー５上のプラグコネクタの存在に依存してサーバー５のプラグコネクタ内に挿入されることができ、若しくは、空きのままであることができる。接続モジュール６のプラグコネクタ７は、同様に、ソケット及び／又はプラグとして構成されることができる。
【００２９】
サーバー５及び接続モジュール６は、サーバーフレーム２内で、例えばレールシステムにより、機械的に案内され、その際、サーバー５のプラグコネクタ及び接続モジュール６のプラグコネクタ７は、所定の公差内で互いに対して嵌合されることができる。
【００３０】
この実施例では、２つのガイド要素８は、接続モジュール６のプラグコネクタ７上に搭載される。ガイド要素８は、例えば、金属レール若しくはプラスティックレールの形態で構成されることができ、サーバー５の後側のそれぞれの適合するプラグコネクタに対して接続モジュール６のプラグコネクタ７の正確な案内を保証する。この目的のため、例えば、図１に示されない追加のガイド要素を、ガイド要素８と連携するサーバー５に設けることは可能である。
【００３１】
当然ながら、接続モジュールのガイド要素８は、プラグコネクタ７上に必ずしも搭載される必要はないが、それに代えて、ガイド要素８は、サーバー５に対面する接続モジュール６の側のその他の位置に搭載されうる。ガイド要素８の簡易な構成に起因して、ガイド要素８の連続生産及び搭載は、多大な追加の労力及びコストの増加無しで可能である。
【００３２】
接続モジュール６は、例えば、電源としてサーバー５により共同で使用することもできる１つ以上の電源（パワーアダプタ）を含むことができる。接続モジュール６は、同様に、例えば、光ドライブへのサーバー５の接続用のＩ／Ｏモジュール、若しくは、ネットワークへの接続用のＩ／Ｏモジュールであることができる。
【００３３】
図２は、図１に示すサーバーシステム１の側面の概略表現を示す。図１の説明用と同一の参照符号が適用される。
【００３４】
前側３及び後側４を備えるサーバーフレーム２と共にサーバー５を含むサーバーシステム１が示される。サーバーシステム１は、同様に、接続モジュール６を含み、接続モジュール６のそれぞれは、ガイド要素８が上に搭載される少なくとも１つのプラグコネクタ７を含む。サーバー５のそれぞれは、プラグコネクタ９及びガイド要素１０を有する。
【００３５】
サーバーシステム１は、再びブレードサーバーシステム１であることができる。サーバーシステム１内に挿入されサーバーフレーム２の前側３から押し込まれるサーバー５は、サーバーフレーム２の外側（側面）により覆われるので、破線を用いて示される。更に、サーバーシステム１の側面視に起因して、２つのサーバー５のみが見えている。接続モジュール６は、サーバーフレーム２の外側（側面）によりこの視では覆われていることを明らかにするために、同様に破線を用いて示される。
【００３６】
２つの接続モジュール６は各サーバー５のために設けられることが図２から分かり、その際、接続モジュール６は、それぞれサーバー５に対して横向きにサーバーフレーム２内に挿入される。接続モジュール６は、同様に、電源ユニット若しくはＩ／Ｏモジュールであることができる。
【００３７】
図示の実施例では、接続モジュール６のプラグコネクタ７は、サーバー５の後側に搭載されるプラグコネクタ９内に挿入され、プラグコネクタ９は、接続モジュール６のプラグコネクタと全く同様に、接続モジュール６のプラグコネクタ７のそれぞれの構成に依存して、ソケット及び／又はプラグとして構成されることができる。従って、接続モジュール６は、サーバー５に直接電気的に接続され、サーバー５と接続モジュール６の間の電気接続の生成のための複雑なミッドプレーンは不要である。サーバーシステム１のそれぞれのサーバー５に対して、接続モジュール６の少なくとも１つのプラグコネクタ７が設けられるべきである。
【００３８】
サーバー５若しくは接続モジュール６は、それぞれ、多数のプラグコネクタ９若しくは７（若しくはプラグコネクタ９，７のプラグ集合）を有することもでき、これにより、直接の接続が生成される。接続モジュール６の多数のプラグコネクタ７は、接続モジュール６の全幅に亘って構築されることができる。プラグコネクタ９，７は、それぞれが規定の機能（Ｉ／Ｏプラグコネクタ、電源端子等）を有するプラグコネクタ９，７の集合として配置されることができる。
【００３９】
接続モジュール６のそれぞれは、プラグコネクタ７上にこの例では搭載される２つのガイド要素８を有する。ガイド要素８のそれぞれは、所定の公差内でサーバー５のプラグコネクタ９内に機械的にプラグコネクタ７を嵌合させる。この目的のため、ガイド要素８と協動する追加のガイド要素１０がサーバー５に設けられる。ガイド要素１０は、例えば、サーバー５内への突起５として構成されることができ、若しくは、サーバー５のプラグコネクタ９内への突起５として構成されることができ、この場合、ガイド要素１０一般若しくは突起の形状若しくはサイズは、ガイド要素８の形状若しくはサイズに適合される。
【００４０】
サーバー５と接続モジュール６の間の間接的なプラグイン接続に起因した信号伝送のエラーは、ガイド要素８，１０及びプラグコネクタ７，９の最適な適合と共にそれらの協動により回避されることができる。更に、プラグコネクタ７，９へのダメージは、ガイド要素８，１０により防止される。
【００４１】
ガイド要素８は、プラグコネクタ７まわりで接続モジュール６の前側に（例えば接着若しくはボルトにより）搭載される短い金属のレール片として構成されることができる。図１の説明で既に述べたように、プラスティックレールは、ガイド要素８として考えられる。２つのガイド要素は、２つの次元でサーバー５と接続モジュール６の間の（直接的な）接続を画成する。同様に、上述の構成のガイド要素８をサーバー５上に直接配置することも考えられ、これにより、サーバー５上に対応して構成されたガイド要素１０は省略することができる。
【００４２】
更に、サーバー５に対する一定の位置が、常に、接続モジュール６の１つ以上の規定されたプラグコネクタ７に対して提供されることが考えられる。従って、例えば、最も低い若しくは最も高い接続モジュール６は、（それぞれ、下側若しくは上側の列において）サーバー５への電力の供給用の電源ユニットであることができる。
【００４３】
接続モジュール６上に存在するプラグコネクタ７の数若しくはサーバー５上に存在するプラグコネクタ９の数は、必ずしもサーバー５と接続モジュール６の直接の電気的接続に伴われるプラグコネクタ７，９の数に対応する必要ないが、代わりに、著しく大きな数のプラグコネクタ７，９は、それぞれ、接続モジュール６若しくはサーバー５上に設けられることができる。サーバー５と接続モジュール６の直接的な電気接続に伴うプラグコネクタ７，９の数は、サーバーシステム１における動作用に設けられるプラグコネクタ７，９及び対応する機能のプラグコネクタ７，９の数に対応する。
【００４４】
サーバー５のプラグコネクタ９、接続モジュール６のプラグコネクタ７及びガイド要素８，１０の協動に起因して、サーバー５と接続モジュール６の間の正確な嵌合する直接接続が達成され、中間的で複雑で高価なミッドプレーンが接続モジュール６へのサーバー５の接続用に必要とされない。生産における労力及びコストの双方がこのようにして節約することができる。更に、電気接続用に存在しなければならない（プラグ）接続の合計の数は、半分に低減される。これは、ミッドプレーンへのサーバー５から及び接続モジュール６へのミッドプレーンからの直列の接続がもはや必要でないためである。これにより、サーバーシステム１の欠陥の影響の受け易さを顕著に低減することができる。
【００４５】
サーバーシステム１で欠陥が現れた場合、例えば、サーバー５の１つに電源が供給されない場合、欠陥の源は、より小さい数の接続に起因して直ぐに特定され、接続モジュール６の全てを外して全体のサーバーの動作を阻害する必要なく、欠陥を直すことができる。
【００４６】
図３は、追加の実施例において図２に示されるサーバーシステム１の概略表現を示す。図２の説明と同一の参照符号が適用される。
【００４７】
また再び、前側３及び後側４を備えるサーバーフレーム２と共にサーバー５からなるサーバーシステム１が示される。このサーバーシステム１は、更に、ガイド要素８がその上に配置されるプラグコネクタ７を備える２つの接続モジュール６を含む。サーバー５のそれぞれは、プラグコネクタ９及びガイド要素１０を含む。
【００４８】
サーバー５に対して一定の位置が常に接続モジュール６の１つ以上の規定されたプラグコネクタ７に対して設けられる図２の説明で既に説明した構成は、再び、この実施例でも取り上げられ、更に説明されるだろう。
【００４９】
図３では、サーバー５の後側の上端に配置されるプラグコネクタ９は、サーバー５への電力供給用の端子として設けられる。従って、サーバーの上側のプラグコネクタ９に接続される接続モジュール６は、電源供給ユニットとして構成される（そして、接続モジュール６のプラグコネクタ７は、結果として、電源供給端子である）。
【００５０】
更に、ここに示すように、サーバー５の下側のプラグコネクタ９は、サーバー５への電源用の端子として設けられることができる。これにより、サーバー５の数に対応する電源ユニットの数の使用が可能である。しかしながら、プラグコネクタ７，９の配置及びサーバー５に対する接続モジュール（電源ユニット）のプラグコネクタ７の一定の位置に起因して、電力の冗長的な供給がこの実施例では可能とされ、これは、サーバーシステム１の欠陥の影響の受けやすさを更に低減する。
【００５１】
接続モジュール６としての電源ユニットに加えて、他の接続モジュール６（Ｉ／Ｏモジュールのような）は、当然ながら設けられることができるが、ここでは明瞭性のために図示されない。
【００５２】
この実施例では、図１及び２に示すものと同様に、サーバー５と接続モジュール６の間の直接の接続は、全ての必要な電気的な接続のために使用されることができる。この場合、サーバー５への電力供給用の電源ユニット及びデータ交換用のＩ／Ｏモジュールの双方は、接続モジュール６として設けられる。かかる場合、ミッドプレーンは完全に不要である。
【００５３】
しかしながら、例えばデータ接続のような、サーバー５の電気的接続の一部のみに対してサーバー５と接続モジュール６の間の直接の接続を設けることも、代替的に可能である。サーバー５への電力の供給用のもののような残りの電気的接続は、既知のミッドプレーンとは類似しないミッドプレーンであって、鉛直方向でサーバーの高さ全体の一部のみに亘って構成されるミッドプレーンにより、実行されることができる。かかるミッドプレーンは、典型的にはサーバー５の背面の全体の表面領域に亘って構成される既知のミッドプレーンよりも冷却エアストリームに対する影響が小さい。その他の効果は、サーバー５と接続モジュール６の間の直接の接続のより良好な信号品質をデータラインに対して使用できることであり、これに対して、ミッドプレーンを介した接続に適した従来の電源モジュールは、信号品質に関して要求が低い電力の供給用に使用することができる。
【符号の説明】
【００５４】
１    サーバーシステム
２    サーバーフレーム
３    第１側
４    第２側
５    サーバー
６    接続モジュール
７    プラグコネクタ
８    ガイド要素
９    プラグコネクタ
１０    ガイド要素
【図１】
2011522335.tif 000003
【図２】
2011522335.tif 000004
【図３】
2011522335.tif 000005
【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
サーバーシステムであって、
第１側と第２側とを備え、サーバーフレームの第１側から少なくとも１つのサーバー、特にブレードサーバーを挿入するためのサーバーフレームを含み、
前記第１側の反対の前記サーバーフレームの第２側から前記サーバーフレーム内に挿入される前記少なくとも１つのサーバーの接続のための少なくとも１つの接続モジュールを更に含み、前記少なくとも１つの接続モジュールは、前記少なくとも１つのサーバーに対して交差する方向に配置され、
前記少なくとも１つの接続モジュールは、前記少なくとも１つのサーバーへの電力供給用の電源ユニット及び／又はＩ／Ｏモジュールであり、
前記接続モジュールと前記サーバーの間の直接的な接続が前記サーバーのプラグコネクタ及び前記接続モジュールのプラグコネクタにより生成できる態様で、少なくとも１つのプラグコネクタが、前記サーバーに対して設けられ、少なくとも１つの追加のプラグコネクタが、接続モジュールに対して設けられる、サーバーシステム。
【請求項２】
少なくとも１つのそれぞれのガイド要素は、前記サーバーのプラグコネクタ及び前記接続モジュールの追加のプラグコネクタをガイドするためにそれぞれの接続モジュールに設けられる、請求項１に記載のサーバーシステム。
【請求項３】
前記ガイド要素と連携する少なくとも１つのそれぞれの追加のガイド要素は、前記サーバーに設けられる、請求項２に記載のサーバーシステム。
【請求項４】
前記プラグコネクタは、前記サーバーにマルチインスタンス設計で設けられ、多数のプラグコネクタは、前記サーバーシステムに挿入されたと幾つかの接続モジュールと前記サーバーの間のそれぞれの直接的な接続を生成するために、設けられる、請求項１に記載のサーバーシステム。
【請求項５】
前記サーバーシステムは、複数のサーバーを含み、
前記少なくとも１つの接続モジュール上に、前記接続モジュールの少なくとも１つのプラグコネクタが、前記サーバーシステムのそれぞれのサーバーに対して設けられる、請求項１〜４のうちのいずれか１項に記載のサーバーシステム。
【請求項６】
請求項１〜５のうちのいずれか１項に記載のサーバーシステム用のサーバー、特にブレードサーバーであって、前記サーバーは、前記サーバーシステム内に挿入される接続モジュールへの前記サーバーの直接的な接続のための少なくとも１つのプラグコネクタを含む、サーバー。
【請求項７】
請求項１〜５のうちのいずれか１項に記載のサーバーシステム用の接続モジュールであって、
前記接続モジュールは、Ｉ／Ｏモジュール若しくは電源ユニットであり、前記接続モジュールは、前記サーバーシステム内に挿入されるサーバーへの前記接続モジュールの直接的な接続用の少なくとも１つのプラグコネクタを含む、接続モジュール。
【国際調査報告】
2011522335.tif 000006
2011522335.tif 000007
2011522335.tif 000008
2011522335.tif 000009
2011522335.tif 000010
2011522335.tif 000011